(57)【要約】      （修正有）【課題】ペンダントトップ基部に対してボールマーカーをスライドさせることにより着脱することができ、ボールマーカーの着脱操作性が良好となるボールマーカー付きホルダーを提供する。【解決手段】ペンダントトップ基部３に対してボールマーカー４をスライドさせることで、ボールマーカー４を容易に着脱することができ、ペンダントトップ基部３に対するボールマーカー４の着脱操作性が良好となる。しかも、ボールマーカー４が下端外周側部を弧状部３ａに係合させるので、ペンダントトップ基部３に対するボールマーカー４の位置決めがなされるとともに、ボールマーカー４の落下を防ぐことができる。係合部１２は、針部７ａの先端部７ｂを面一状態に受け止めて弾性係合するため、針部７ａの先端７ｅが手指に触れることがなくなり、手指に刺さることがない。【選択図】図１
0003191990.tif 000002
【実用新案登録請求の範囲】
【請求項１】
野外でゴルフのプレーを行う時、ゴルフプレヤーの着衣に着脱可能に装着するクリップ部を有し、前記クリップ部から垂れ下げられた磁性体製のペンダントトップ基部に磁気力により重ね合わせた状態で取外し可能に吸着するマーカーを備えたボールマーカー付きホルダーであって、
前記クリップ部は、
弾性を有する金属製の捩りコイルばねの一端に形成され、前記着衣の一部で、先端部を前記着衣の内部に通して外部に出す針部と、
前記捩りコイルばねの他端から延長された中間線部と、
前記中間線部にループ状に曲成されて前記ペンダントトップ基部および装飾用鎖部をそれぞれ連結する複数の径小なループ部と、
前記中間線部から前記針部の前記先端部に向かって手指の幅よりも小さな直径に曲折され、前記着衣から外部に出た前記針部の前記先端部を面一状態に受け止めて弾性係合させる弧状の係合部とから成り、
前記ペンダントトップ基部の下端部には、前記マーカーが前記ペンダントトップ基部に吸着した際、前記マーカーの下端部に係合して落下を防ぐ弧状部が形成されていることを特徴とするボールマーカー付きホルダー。
【請求項２】
前記係合部は、手指の幅よりも径小さな直径を有するように曲成された円弧部と、前記円弧部の両端から前記中間線部に連続する直線部とから成り、該直線部が前記針部の前記先端部と面一になっていることを特徴とする請求項１に記載のボールマーカー付きホルダー。
【請求項３】
前記円弧部はループ状に形成した箇所を捩られて、前記直線部と３０°〜１２０°の角度範囲内で上方に曲げられた係止ループ部を成し、該係止ループ部の基端部に前記針部の前記先端部が係止することを特徴とする請求項２に記載のボールマーカー付きホルダー。
【請求項４】
前記円弧部は、前記直線部に直交するように曲成された複数の半コイル部から成ることを特徴とする請求項２に記載のボールマーカー付きホルダー。
【請求項５】
前記円弧部は前記直線部と面一に配置され、前記針部の前記先端部に形成された凹曲部を前記円弧部に係止させたことを特徴とする請求項２に記載のボールマーカー付きホルダー。
【請求項６】
前記円弧部の終端部は、前記直線部に直交する径小な半ループ部を形成し、該半ループ部に前記針部の先端を当接させたことを特徴とする請求項２に記載のボールマーカー付きホルダー。
【請求項７】
前記弧状部を前記ペンダントトップ基部の下端外周側部に同心的に取り付けたことを特徴とする請求項１に記載のボールマーカー付きホルダー。
【考案の詳細な説明】
【技術分野】
【０００１】
本考案は、グリーンでゴルフをプレーする際、ボールマーカーを携帯するために用いるボールマーカー用ホルダーに係り、とりわけゴルフのプレー時には、いつでもボールマーカーを視認できるようにプレーヤーの着衣に取付可能なペンダント式ボールマーカー付きホルダーに関する。
【背景技術】
【０００２】
数人の仲間でゴルフコースを回る時、自分のボールが他人のボールの妨げとならないように、自分がプレーの順番を待機しているうちは、ボールの代わりにマーカーを芝生上にセットしておくのが習わしとして定着している。
ゴルフ用のマーカーに関する考案としては、様々な手法を用いてマーカーを携帯し易く工夫した各種の改良品が特許文献１〜６に開示されている。
【０００３】
特許文献１に記載されたボールマーカーは、ゴルフシューズの組紐に差し込むコ字状の止着部と、止着部に取付けられた円柱状のマーカー保持部とを有し、ボールマーカーの突起ピンをマーカー保持部の小穴に挿入止着することにより、ボールマーカーをマーカー保持部に対して着脱自在に設けている。
【０００４】
特許文献２では、ゴルフシューズに設けられた取付ベースにシート状のマグネットを装着しており、ボールマーカーはマグネットに対して着脱自在となっている。
特許文献３では、ゴルフシューズ本体の砂除けに面ファスナーを設けておき、マーカーの裏面にも面ファスナーを設け、面ファスナー同士の係着により、マーカーを砂除けの面ファスナーに対して着脱自在に装着している。
【０００５】
特許文献４では、ゴルフ用帽子の鍔に強力磁性体が埋設されており、ボールマーカーを強力磁性体に対して磁気力により吸着させることにより、ボールマーカーをゴルフ用帽子の鍔に着脱自在に取付けている。
特許文献５では、ペンダントトップからのゴルフマーカーの離脱を防止しながらも、ゴルフマーカーを磁石により着脱可能に収納するペンダントトップを有している。このため、ペンダントトップ基部の収納面では、ネックレスチェーンを通した金具と対向する段差部を形成している。
【０００６】
特許文献６では、フック部を連結した鉄製プレートに、磁石を有する円形のマーカーを付着させてペンダントトップとしている。ゴルファーのネックレスやスラックスのベルト掛けにフック部を取り付けてプレーすることができ、必要時には、マーカーを鉄製プレートから簡単に外して芝上にセットすることができる。
【先行技術文献】
【特許文献】
【０００７】
【特許文献１】実用新案登録第３０９９１４２号公報
【特許文献２】特開２００９−２２５９５９号公報
【特許文献３】実開平６−３６４０１号公報
【特許文献４】実用新案登録第３１１１８３４号公報
【特許文献５】実用新案登録第３１７７７９５号公報
【特許文献６】特開２００７−１７５１１５号公報
【考案の概要】
【考案が解決しようとする課題】
【０００８】
特許文献１では、ボールマーカーをマーカー保持部に対して着脱自在に設けているが、マーカーをマーカー保持部から取出す時には、突起ピンをマーカー保持部の小穴から抜くために引張操作を必要とする。
特許文献２では、ボールマーカーの取出し時、ボールマーカーを磁気吸引力に抗してマグネットから引き離すため、ボールマーカーに対して引張操作が必要となる。
特許文献３では、マーカーを取出す際、一方の面ファスナーを他方の面ファスナーから引き剥がすため、面ファスナーに対する引張操作が必要となる。
【０００９】
特許文献４では、ボールマーカーをゴルフ用帽子の鍔から取出す場合、ボールマーカーを磁気吸引力に抗して強力磁性体から引き離すため、ボールマーカーに対して引張操作を行う必要がある。
特許文献５では、ネックレスチェーンをプレーヤーの首に掛ける構造を有するが、マーカーは芝上にセットするため、土を付着する虞がある。このため、マーカーを胸元のペンダントトップ基部に吸着させる際、特に女性にとっては、胸元が汚れるのを嫌う傾向がある。
特許文献６では、フック部をゴルファーのネックレスやスラックスのベルト掛けに引っ掛ける構成のため、ペンダントトップ基部を着衣の限られた部分にしか取り付けられない不都合がある。
【００１０】
特許文献１〜４では、ボールマーカーあるいはマーカーを取出す際、いずれも引張操作を要するため、引張力がマーカー保持部、マグネット、面ファスナーや強力磁性体などの保持側部に波及する構造となっている。このため、ボールマーカーを取り出す際に生じる引張力が、ゴルフシューズやゴルフ用帽子に伝わり、引張操作を一方向に指向させ難くなって安定性を欠き、ボールマーカーの取出し操作性が低下し、手間取りがちで使い勝手が悪くなる虞がある。
また、特許文献５、６では、ペンダントトップ基部をプレーヤの着衣の限られた箇所にしか取り付けられないばかりでなく、装飾性に乏しいという問題がある。
【００１１】
本考案は上記事情に鑑みてなされたもので、その目的はペンダントトップ基部に対するマーカーの着脱操作性が良好であるばかりでなく、着衣のどこでも簡単な操作で素早く取り付けられ、装飾性にも富み、とりわけ女性プレーヤーに好感するペンダント式ボールマーカー付きホルダーを提供することにある。  
【課題を解決するための手段】
【００１２】
（請求項１について）
野外でゴルフのプレーを行う時、ゴルフプレヤーの着衣に着脱可能に装着するクリップ部を有し、クリップ部から垂れ下げられた磁性体製のペンダントトップ基部に磁気力により重ね合わせた状態で取外し可能に吸着するマーカーを備えたボールマーカー付きホルダーであって、クリップ部は、弾性を有する金属製の捩りコイルばねの一端に形成された針部を有する。針部の先端部は、着衣の一部で着衣の内部に通して外部に出すように装着される。中間線部は、捩りコイルばねの他端から延長されている。複数の径小なループ部は、中間線部にループ状に曲成されてペンダントトップ基部および装飾用鎖部をそれぞれ連結している。
弧状に形成された係合部は、中間線部から針部の先端部に向かって手指の幅よりも小さな直径に曲成されており、着衣から外部に出た針部の先端部を面一状態に受け止めて弾性係合させる。
ペンダントトップ基部の下端部には、マーカーがペンダントトップ基部に吸着した際、マーカーの下端部に係合して落下を防ぐ弧状部が形成されている。
【００１３】
請求項１では、ペンダントトップ基部に対してマーカーを、例えばスライドさせることにより、マーカー着脱することができ、ペンダントトップ基部に対するマーカーの着脱操作性が良好となる。しかも、ペンダントトップ基部に対するマーカーの装着時、マーカーが下端外周部を弧状部に係合させるので、ペンダントトップ基部に対するマーカーの位置決めがなされるとともに、マーカーの不用意な落下を防ぐことができる。
係合部は、手指の幅よりも小さな直径に曲成され、着衣から外部に出た針部の先端部を面一状態に受け止めて弾性係合するため、針部の先端が手指に触れることがなくなり、針部の先端が不用意に手指に刺さることがない。
針部の先端部を着衣の一部に通して装着する構成のため、着衣のどこでも簡単な操作で素早く取り付けられる。また、径小なループ部には、装飾用鎖部を連結することにより、装飾性に富む付属品となり、とりわけ女性プレーヤーに好感する利点がある。
【００１４】
（請求項２について）
係合部は、手指の幅よりも小さな直径に曲成された円弧部と、円弧部の両端から中間線部に連続する直線部とから成る。直線部は針部の先端部と面一になっている。
請求項２では、簡素な構成により、針部の先端が手指に触れることがなくなり、針部の先端が不用意に手指に刺さることがない。
【００１５】
（請求項３について）
円弧部はループ状に形成した箇所を捩られて、直線部と３０°〜１２０°の角度範囲内で上方に曲げられた係止ループ部を成す。係止ループ部の基端部に針部の先端部を係止させている。
請求項３では、請求項２と同様に、簡素な構成で、針部の先端が手指に触れることがなくなり、針部の先端が不用意に手指に刺さることがない。係止ループ部は直線部と３０°〜１２０°の角度範囲内で上方に曲げられているので、直線部に対する係止ループ部の装飾性を損なうことがない。また、係止ループ部に装飾用鎖部を連結することにより、全体の装飾性を増すことができる。
【００１６】
（請求項４について）
円弧部は、直線部に直交するように曲成された複数の半コイル部から成る。
請求項４では、針部の先端部が複数の半コイル部により覆われるので、針部の先端が手指に触れる虞をなくし、使用者への安全性を高めることができる。
【００１７】
（請求項５について）
円弧部は直線部と面一に配置され、針部の先端部に形成した凹曲部を円弧部に係止させている。
請求項５では、簡素な構成で針部の先端が手指に触れる虞をなくすとともに、針部の先端部の凹曲部を円弧部に係止させているため、凹曲部と円弧部との係止状態が強化される。
【００１８】
（請求項６について）
円弧部の終端部は、直線部に直交する径小な半ループ部を形成し、この半ループ部に針部の先端を当接させている。
請求項６では、針部の先端が半ループ部に当接するので、針部の先端が半ループ部に隠蔽されて針部の先端が手指に触れる虞れを完全になくすことができる。
【００１９】
（請求項７について）
弧状部をペンダントトップ基部の下端外周側部に同心的に取り付けている。
請求項７では、マーカーの下端外周側部を弧状部に係合させることにより、マーカーをペンダントトップ基部に同心となるように位置決め係合して吸着させることができる。
【図面の簡単な説明】
【００２０】
【図１】（ａ）はボールマーカー用ホルダーを示す斜視図（実施例１）、（ｂ）はマーカーとペンダントトップ基部とを示す分解斜視図である（実施例２）。
【図２】ボールマーカー用ホルダーを示す斜視図である（実施例３）。
【図３】ボールマーカー用ホルダーを示す斜視図である（実施例４）。
【図４】（ａ）は係合部を示す拡大正面図、（ｂ）はボールマーカー用ホルダーを示す斜視図である（実施例５）。
【図５】ボールマーカー用ホルダーを示す斜視図である（実施例６）。
【図６】ボールマーカー用ホルダーを示す斜視図である（実施例７）。
【図７】ボールマーカー用ホルダーを示す斜視図である（実施例８）。
【考案を実施するための形態】
【００２１】
本考案に係るボールマーカー付きホルダーでは、ペンダントトップ基部に対するマーカーの着脱操作性が良好となる。しかも、ペンダントトップ基部に対するマーカーの装着時、マーカーが弧状部に位置決め係合するので、マーカーの落下防止を図ることが可能な構成を技術的特徴とする。
【実施例】
【００２２】
〔実施例１の構成〕
図１（ａ）は本考案の実施例１を示す。図１（ａ）はボールマーカー付きホルダー１を示し、野外でゴルフのプレーを行う時、ゴルフプレヤーの着衣（図示せず）に着脱可能に設けられたクリップ部２を有している。
【００２３】
磁性体製のペンダントトップ基部３は、例えば円盤状に形成され、後述するように、クリップ部２から垂れ下げられている。円盤状のボールマーカー４（以後、単にマーカー４と称す）は、裏面中央に磁石（図示せず）を埋め込み、磁気力によりペンダントトップ基部３に重ね合わせた状態で取外し可能に吸着している（図１（ａ）の二点鎖線参照）。マーカー４の表面には、装飾用に多数の微小ビーズ６を埋設するとともに、使用者などのイニシャル５を印字している。
【００２４】
ペンダントトップ基部３の下端部には、弧状部３ａを形成している。弧状部３ａは、マーカー４がペンダントトップ基部３に吸着した際、マーカー４の下端部に位置決め係合して落下を防ぐ。この弧状部３ａは、ペンダントトップ基部３の下端部に微小ビーズ６ａを埋設することにより構成されている。
【００２５】
クリップ部２は、弾性を有する金属製の捩りコイルばね７の一端７Ａに形成された直線状の針部７ａを有している。針部７ａの先端部７ｂは、図示しない着衣の一部で着衣の内部に通して外部に出すように装着される。中間線部７ｃは、捩りコイルばね７の他端７Ｂから延長されている。複数の径小なループ部８、９、１０は、中間線部７ｃにループ状に曲成され、中央のループ部９はペンダントトップ基部３をリング９ａを介して連結している。左右のループ部８、１０には、装飾用鎖部（図示せず）を連結することができる。
【００２６】
弧状に形成された係合部１２は、中間線部７ｃから針部７ａの先端部７ｂに向かって手指の幅よりも小さな直径Ｄを有する円弧部１２ａとして曲成されており、円弧部１２ａの両端からは、後述する横Ｕ字線部７ｄ、７ｆに連続する直線部１２ｂ、１２ｃを形成している。
【００２７】
円弧部１２ａは、着衣から外部に出た針部７ａの先端部７ｂおよび先端７ｅを直線部１２ｂ、１２ｃと面一となるように受け止めて弾性係合させる（図１（ａ）の実線参照）。中間線部７ｃから横Ｕ字線部７ｆを介して係合部１２に至り、係合部１２から中間線部７ｃの方向に延出する横Ｕ字線部７ｄは、終端部を中間線部７ｃに巻込み７ｊにより固定している。装飾用鎖部１３は、一端部１３ａを捩りコイルばね７のコイル部に連結し、他端部１３ｂを横Ｕ字線部７ｄに連結している。
【００２８】
〔実施例１の効果〕
実施例１では、ペンダントトップ基部３に対してマーカー４を、例えばスライドさせることにより、マーカー４を着脱することができ、ペンダントトップ基部３に対するマーカー４の着脱操作性が良好となる。しかも、ペンダントトップ基部３に対するマーカー４の装着時、マーカー４が下端外周側部を弧状部３ａに係合させるので、ペンダントトップ基部３に対するマーカー４の位置決めがなされるとともに、マーカー４の落下を防ぐことができる。
【００２９】
係合部１２は、手指の幅よりも小さな直径Ｄに曲成され、着衣から外部に出た針部７ａの先端部７ｂを面一状態に受け止めて弾性係合するため、針部７ａの先端７ｅが手指に触れることがなくなり、針部７ａの先端７ｅが不用意に手指に刺さることがない。
針部７ａの先端部７ｂを着衣の一部に通して装着する構成のため、着衣のどこでも簡単な操作で素早く取り付けられる。また、左右のループ部８、１０には、装飾用鎖部を連結することにより、装飾性に富む付属品となり、とりわけ女性プレーヤーに好感する利点がある。
【００３０】
〔実施例２の構成〕
図１（ｂ）は本考案の実施例２を示す。実施例２が実施例１と異なるところは、弧状部３ａをペンダントトップ基部３の下端外周側部に同心的に取り付けたことである。これにより、マーカー４の下端外周側部をペンダントトップ基部３に同心となるように位置決め係合させた状態でマーカー４をペンダントトップ基部３に吸着させることができる。
【００３１】
〔実施例３の構成〕
図２は本考案の実施例３を示す。実施例３が実施例１と異なるところは、左右のループ部８、１０に装飾用鎖部１５、１６を連結して装飾性を増したことである。これにより、装飾性に富むアクセサリーとしても着用することができ、とりわけ女性プレーヤーに好感するものである。
【００３２】
〔実施例４の構成〕
図３は本考案の実施例４を示す。実施例４が実施例１と異なるところは、横Ｕ字線部７ｄ、７ｆに径小なループ部８ａ、１０ａをそれぞれ曲成して装飾用鎖部１７、１８を連結したことである。これにより、実施例３と同様な効果が得られる。
【００３３】
〔実施例５の構成〕
図４（ａ）および図４（ｂ）は本考案の実施例５を示す。実施例５が実施例１と異なるところは、係合部１２の円弧部１２ａを係止ループ部２０として形成したことである。
すなわち、円弧部１２ａは、図４（ａ）に示すように、ループ状に形成した箇所を捩られて、図４（ｂ）に示すように、直線部１２ｂ、１２ｃと所定の角度θを成すように上方に曲げられた係止ループ部２０を有する。針部７ａの先端部７ｂを係止ループ部２０の基端部２０ａに係止させている。角度θとしては、３０°〜１２０°の角度範囲内で、例えば９０°を設定している。
【００３４】
実施例５では、実施例１と同様に、簡素な構成で、針部７ａの先端７ｅが手指に触れることがなくなり、針部７ａの先端７ｅが不用意に手指に刺さることがない。係止ループ部２０は、直線部１２ｂ、１２ｃと３０°〜１２０°の角度範囲内で上方に曲げられているので、直線部１２ｂ、１２ｃに対する係止ループ部２０の装飾性を損なうことがない。また、係止ループ部２０に装飾用鎖部（図示せず）を連結することにより、全体の装飾性を増すことも可能である。
【００３５】
〔実施例６の構成〕
図５は本考案の実施例６を示す。実施例６が実施例１と異なるところは、円弧部１２ａを直線部１２ｂ、１２ｃと直交させるように曲成した三個の半コイル部１２ｅ、１２ｆ、１２ｇから構成したことである。
実施例６では、針部７ａの先端部７ｂが半コイル部１２ｅ、１２ｆ、１２ｇにより覆われるので、針部の先端７ｅが手指に触れる虞をなくし、使用者への安全性を高めることができる。なお、半コイル部１２ｅ、１２ｆ、１２ｇは三個設けたが、三個に限らず、例えば２個でもよい。
【００３６】
〔実施例７の構成〕
図６は本考案の実施例７を示す。実施例７が実施例１と異なるところは、針部７ａの先端部７ｂに凹曲部７ｋを形成し、この凹曲部７ｋを円弧部１２ａに係止させたことである。
実施例７では、簡素な構成で針部７ａの先端７ｅが手指に触れる虞をなくすとともに、針部７ａの先端部７ｂに凹曲部７ｋを形成して円弧部１２ａに係止させているため、凹曲部７ｋと円弧部１２ａとの係止状態が強化される。
【００３７】
〔実施例８の構成〕
図７は本考案の実施例８を示す。実施例８が実施例７と異なるところは、円弧部１２ａの終端部１２ｍが直線部１２ｂ、１２ｃに直交する径小な半ループ部１２ｎを形成し、この半ループ部１２ｎに針部７ａの先端７ｅを当接させている。
実施例８では、針部７ａの先端７ｅが半ループ部１２ｎに当接するので、針部７ａの先端７ｅが半ループ部１２ｎに隠蔽されて針部７ａの先端７ｅが手指に触れる虞れを完全になくすことができる。
【００３８】
〔変形例〕
（ａ）実施例１〜８おける着衣としては、スポーツエウアをはじめ、ゴルフウエアーやスラックスでもよく、ゴルフシューズ１などのスポーツ用シューズをはじめ、エアーシューズやスニーカーなど一般に着用する普段の靴に適用してもよい。
（ｂ）実施例１〜８におけるクリップ部２は、ニッケル系ステンレス鋼をはじめ、アルミニウム、軟鋼、鉄、銅あるいは真鍮などであってもよい。
【００３９】
（ｃ）クリップ部２は、金属の代わりに、ポリエチレン（ＰＥ）などの合成樹脂により形成してもよい。その合成樹脂の材料としては、ポリエチレン（ＰＥ）の他、ポリプロピレン（ＰＰ）、ポリカーボネイト（ＰＣ）、ポリメタノール（ＰＯＭ）、ポリブチレンテレフタレート（ＰＢＴＦ）あるいはポリプロエチレン（ＰＰＥ）などのエンジニアリングプラスチックであってもよい。
【００４０】
（ｄ）ボールマーカー４に埋め込む磁石体としては、ネオジウム磁石、ネオジウム磁石、ＫＳ鋼、ＭＫ鋼、アルニコ磁石、フェライト磁石、サマリウムコバルト磁石、あるいは磁石と磁性体とを組み合わせた複合磁石を用いてもよい。
（ｅ）ボールマーカー４については、円盤状に限らず、楕円状、方形状、正五角状、正六角状あるいは多角形に構成し、ペンダントトップ基部３もボールマーカー４に対応する形状に形成してもよい。
【産業上の利用可能性】
【００４１】
本考案に係るボールマーカー付きホルダーでは、ペンダントトップ基部に対するボールマーカーの着脱操作性が良好となる。しかも、ペンダントトップ基部に対するボールマーカーの装着時、ボールマーカーが下端外周側部を弧状部に係合させるので、ペンダントトップ基部に対するボールマーカーの位置決めがなされるとともに、マーカーの不用意な落下を防ぐことができる。ボールマーカー取出し操作の容易性や装飾性の豊富さに着目してボールマーカーに関する製造業界の需要を喚起し、関連部品の流通を介して機械産業に資することができる。
【符号の説明】
【００４２】
１          ボールマーカー付きホルダー
２          クリップ部
３          ペンダントトップ基部
３ａ        弧状部
４          ボールマーカー（マーカー）
７          捩りコイルばね
７Ａ        捩りコイルばねの一端
７Ｂ        捩りコイルばねの他端
７ａ        針部
７ｂ        針部の先端部
７ｃ        中間線部
７ｅ        針部の先端
７ｋ        凹曲部
８〜１０    ループ部
８ａ、１０ａ    ループ部
１２            係合部
１２ａ          円弧部
１２ｂ、１２ｃ  直線部
１２ｅ、１２ｆ、１２ｇ  半コイル部
１２ｍ      円弧部の終端部
１２ｎ      半ループ部
１３        装飾用鎖部
２０        係止ループ部
θ          係止ループ部が直線部と成す所定の角度
【図１】
0003191990.tif 000003
【図２】
0003191990.tif 000004
【図３】
0003191990.tif 000005
【図４】
0003191990.tif 000006
【図５】
0003191990.tif 000007
【図６】
0003191990.tif 000008
【図７】
0003191990.tif 000009